(57)【特許請求の範囲】
【請求項１】
一端側の入口より供給された雑多ごみを乾燥させて他端側の出口から排出させるようにしてあるキルン型乾燥炉の出口に、選別空気を下方から上方へ向けて吹き上げるようにして雑多ごみを風力選別させるようにしてある密閉構造の風力選別機の上側部を連通接続し、該風力選別機の上端排出口に排気ファンを備えた排出ラインを接続して、該排出ラインの途中の上記排気ファンよりも上流位置に集じん装置を設置し、且つ該排出ラインの上記集じん装置よりも下流側位置と上記乾燥炉の入口側との間に、循環ファンと熱風炉を備えて該循環ファンにより誘引した乾燥空気を熱風炉に送って加熱した後、上記キルン型乾燥炉に送るようにした乾燥空気循環用ラインを接続し、更に、上記排出ラインの上記集じん装置よりも下流側位置と上記風力選別機の下端部との間に、循環ファンを備えて上記排出ラインの乾燥空気の一部を上記風力選別機に選別空気として送るようにした選別空気循環用ラインを接続するようにした構成を有することを特徴とする雑多ごみの乾燥選別装置。
【請求項２】
一端側の入口より供給された雑多ごみを乾燥させて他端側の出口から排出させるようにしてあるキルン型乾燥炉の出口に、上下方向に長い風力選別ダクトと、該風力選別ダクトの風力選別エリア内の下部位置にあって、上下方向に延びる回転軸に雑多ごみを破砕するためのチェーン状の破砕刃を上下方向に多段に且つ周方向に適宜な間隔で取り付けて、回転軸の回転で各破砕刃が水平状態になって回転できるようにしてある竪型破砕機とからなり、選別空気を下方から上方へ向けて吹き上げるようにして破砕された雑多ごみを風力選別させるようにしてある密閉構造の風力選別機の上側部を連通接続し、該風力選別機の上端排出口に排気ファンを備えた排出ラインを接続して、該排出ラインの途中の上記排気ファンよりも上流位置に集じん装置を設置し、且つ該排出ラインの上記集じん装置よりも下流側位置と上記乾燥炉の入口側との間に、循環ファンと熱風炉を備えて該循環ファンにより誘引した乾燥空気を熱風炉に送って加熱した後、上記キルン型乾燥炉に送るようにした乾燥空気循環用ラインを接続し、更に、上記排出ラインの上記集じん装置よりも下流側位置と上記風力選別機の下端部との間に、循環ファンを備えて上記排出ラインの乾燥空気の一部を上記風力選別機に選別空気として送るようにした選別空気循環用ラインを接続するようにした構成を有することを特徴とする雑多ごみの乾燥選別装置。
【発明の詳細な説明】
【０００１】
【発明の属する技術分野】
本発明は都市ごみ等の如き可燃ごみと不燃ごみが混ざっている雑多ごみから金属類等の不燃物を選別除去してごみの固型燃料（ＲＤＦ）化を図るようにしたり、あるいは、選別した金属類をリサイクルすることができるようにするために用いる雑多ごみの乾燥選別装置に関するものである。
【０００２】
【従来の技術】
近年、都市ごみ等の雑多ごみを、乾燥させた後に選別回収してＲＤＦ化する等、資源を再利用する方法が種々提案され、数多くのプロセスが実用化されている。
【０００３】
一例として、雑多ごみからＲＤＦ化を図る設備について説明すると、ＲＤＦを製造する工程中には、雑多ごみを破砕機にて細かく破砕してから乾燥機で乾燥させる乾燥工程と、乾燥後の雑多ごみを選別機にかけて、金属類や石材等の不燃ごみの重量物と可燃ごみの軽量物とに選別する選別工程があり、選別後に、軽量物としての可燃ごみを圧縮成形機にて圧縮成形するようにしてある。
【０００４】
【発明が解決しようとする課題】
ところが、上記従来のＲＤＦ製造設備における如き雑多ごみの乾燥と選別を行う乾燥機と選別機は、別々に設置され、乾燥機の場合、乾燥機用の集じん装置、循環ファン、排気ファン等からなる独立循環系を備えて乾燥のみを行うようにし、選別機の場合、選別機用の集じん装置、循環ファン、排気ファン等からなる独立した循環系を備えて選別のみを行うようにしてあるため、機器点数及びそれに付随するダクト数、処理風量が多く、しかも、選別機への雑多ごみの投入には定量性を要求されるため、選別機前に定量供給装置も必要となることから、設備全体として高価となり、且つ広い設備スペースが必要となる問題がある。
【０００５】
そこで、本発明は、雑多ごみの乾燥、選別に供する部分の機器構成を簡略化して、コストダウン及び省スペース化を図ることができるような雑多ごみの乾燥選別装置を提供しようとするものである。
【０００６】
【課題を解決するための手段】
本発明は、上記課題を解決するために、一端側の入口より供給された雑多ごみを乾燥させて他端側の出口から排出させるようにしてあるキルン型乾燥炉の出口に、選別空気を下方から上方へ向けて吹き上げるようにして雑多ごみを風力選別させるようにしてある密閉構造の風力選別機の上側部を連通接続し、該風力選別機の上端排出口に排気ファンを備えた排出ラインを接続して、該排出ラインの途中の上記排気ファンよりも上流位置に集じん装置を設置し、且つ該排出ラインの上記集じん装置よりも下流側位置と上記乾燥炉の入口側との間に、循環ファンと熱風炉を備えて該循環ファンにより誘引した乾燥空気を熱風炉に送って加熱した後、上記キルン型乾燥炉に送るようにした乾燥空気循環用ラインを接続し、更に、上記排出ラインの上記集じん装置よりも下流側位置と上記風力選別機の下端部との間に、循環ファンを備えて上記排出ラインの乾燥空気の一部を上記風力選別機に選別空気として送るようにした選別空気循環用ラインを接続するようにした構成とする。
【０００７】
乾燥炉にて乾燥させられた雑多ごみが出口から排出されて風力選別機に投入されると、下方から上方へ向けて吹き上げられる選別空気により軽量物と重量物とに選別される。
【０００８】
又、一端側の入口より供給された雑多ごみを乾燥させて他端側の出口から排出させるようにしてあるキルン型乾燥炉の出口に、上下方向に長い風力選別ダクトと、該風力選別ダクトの風力選別エリア内の下部位置にあって、上下方向に延びる回転軸に雑多ごみを破砕するためのチェーン状の破砕刃を上下方向に多段に且つ周方向に適宜な間隔で取り付けて、回転軸の回転で各破砕刃が水平状態になって回転できるようにしてある竪型破砕機とからなり、選別空気を下方から上方へ向けて吹き上げるようにして破砕された雑多ごみを風力選別させるようにしてある密閉構造の風力選別機の上側部を連通接続し、該風力選別機の上端排出口に排気ファンを備えた排出ラインを接続して、該排出ラインの途中の上記排気ファンよりも上流位置に集じん装置を設置し、且つ該排出ラインの上記集じん装置よりも下流側位置と上記乾燥炉の入口側との間に、循環ファンと熱風炉を備えて該循環ファンにより誘引した乾燥空気を熱風炉に送って加熱した後、上記キルン型乾燥炉に送るようにした乾燥空気循環用ラインを接続し、更に、上記排出ラインの上記集じん装置よりも下流側位置と上記風力選別機の下端部との間に、循環ファンを備えて上記排出ラインの乾燥空気の一部を上記風力選別機に選別空気として送るようにした選別空気循環用ラインを接続するようにした構成とすることにより、風力選別ダクト内に投入されたごみは、選別と同時に細かく破砕されることになる。
【０００９】
【発明の実施の形態】
以下、本発明の実施の形態を図面を参照して説明する。
【００１０】
図１は本発明の実施の一形態を示すもので、ＲＤＦ製造設備に適用する場合を例として示す。雑多ごみ１を乾燥させる乾燥機として、雑多ごみ１が入口２ａより供給されると乾燥させて下流側の出口２ｂから送り出すようにしてあるロータリーキルン型乾燥炉２を用い、該乾燥炉２の出口２ｂ部を、上下方向に長い風力選別ダクト３の上部一側に、排出シュート４を介して接続し、乾燥炉２で乾燥させた雑多ごみ１を排出シュート４を通して風力選別ダクト３内に投入できるようにする。
【００１１】
上記風力選別ダクト３は、上端から下端部付近までを風力選別エリアＡとして、上記排出シュート４の接続位置よりも下部位置内に竪型破砕機５を設置し、且つ上端部を軽量物１ａの排出口３ａとすると共に、下端部を重量物１ｂの排出口３ｂとして、該排出口３ｂに、シール機能をもたせた切出バルブ６を組み付けた構成としてある。
【００１２】
又、上記風力選別ダクト３の上端排出口３ａに、排気ファン７を備えた排出ライン８を接続して、該排出ライン８の途中に集じん装置９を設置し、上記排出ライン８の集じん装置９よりも下流側位置と上記乾燥炉２の入口２ａ側との間に、循環ファン１０により誘引した乾燥炉排気、すなわち乾燥空気１５ａを熱風炉１１に送って加熱した後、乾燥炉２に供給するようにした乾燥空気循環用ライン１２を接続し、更に、上記排出ライン８の集じん装置９よりも下流側位置と上記風力選別用ダクト３の下端部との間に、途中に循環ファン１３を備えて乾燥空気の一部を選別用の空気として循環させる選別空気循環用ライン１４を接続し、該選別空気循環用ライン１４を通して送られて風力選別ダクト３内を吹き上げられる選別空気１５ｂにより、竪型破砕機５にて破砕した雑多ごみ１を風力選別させるようにして、軽量物１ａは上端排出口３ａより排出ライン８を通し集じん装置９で捕集させるようにすると共に、重量物１ｂは落下させて下端排出口３ｂの切出バルブ６によって排出させるようにする。
【００１３】
上記竪型破砕機５としては、たとえば、上方から落下してきた雑多ごみ１を破砕するためのチェーン状の破砕刃を、上下方向に延びる回転軸に、上下方向に多段に且つ周方向に適宜な間隔でしかも上下方向に位相をずらして取り付け、回転軸の回転で各破砕刃が水平状態になって回転できるようにした構成としてある。
【００１４】
なお、集じん装置９には、捕集した軽量物１ａの排出口をシールできるような機能をもたせてある。
【００１５】
乾燥炉２内に雑多ごみ１が供給されると、熱風炉１１にて加熱させられた乾燥空気１５ａにより乾燥させられ、乾燥した雑多ごみ１は出口２ｂから排出シュート４を通り風力選別ダクト３内に投入される。風力選別ダクト３内に投入された雑多ごみ１は落下により竪型破砕機５に供給され、ここで、落下しつつ上下方向各段の破砕刃により順次細かく破砕されることになる。この際、破砕されたごみのうち軽量物１ａは、選別空気循環用ライン１４を通して循環供給されている乾燥空気よりなる選別空気１５ｂの流れに乗って上方へ吹き上げられ、上端の排出口３ａに接続されている排出ライン８に排出されて集じん装置９にて捕集されることになる。一方、上方へ吹き上げられなかった重量物１ｂは風力選別ダクト３の下端部へ自重で落下し、下端排出口３ｂの切出バルブ６により排出される。
【００１６】
上記において、乾燥炉２へ乾燥空気１５ａを供給する系と、風力選別機としての風力選別ダクト３に選別空気１５ｂを供給する系では、集じん装置９と排気ファン７を共用しているため、処理風量やダスト量を少なくすることができて、機器点数及びダクト数を従来に比して少なくすることができ、しかもロータリーキルン型乾燥炉２の場合、雑多ごみ１を出口２ｂから定量排出することができるので、風力選別ダクト３への定量供給装置が不要であり、したがって、設備全体として、大幅にコストダウン化、省スペース化を図ることができる。
【００１７】
なお、上記乾燥炉２と、風力選別ダクト３及び竪型破砕機５による風力選別機の運転制御方法や調整方法は、従来の場合と何ら変わることなく実施することができること、又、実施の形態では、風力選別機として、風力選別ダクト３及び竪型破砕機５の組み合わせを用いた場合を示したが、破砕ごみを供給できるようにし且つシール性能（密閉構造）を具備させれば、振動篩型式を用いるようにしてもよいこと、その他本発明の要旨を逸脱しない範囲内において種々変更を加え得ることは勿論である。
【００１８】
【発明の効果】
以上述べた如く、本発明の雑多ごみの乾燥選別装置によれば、一端側の入口より供給された雑多ごみを乾燥させて他端側の出口から排出させるようにしてあるキルン型乾燥炉の出口に、選別空気を下方から上方へ向けて吹き上げるようにして雑多ごみを風力選別させるようにしてある密閉構造の風力選別機の上側部を連通接続し、該風力選別機の上端排出口に排気ファンを備えた排出ラインを接続して、該排出ラインの途中の上記排気ファンよりも上流位置に集じん装置を設置し、且つ該排出ラインの上記集じん装置よりも下流側位置と上記乾燥炉の入口側との間に、循環ファンと熱風炉を備えて該循環ファンにより誘引した乾燥空気を熱風炉に送って加熱した後、上記キルン型乾燥炉に送るようにした乾燥空気循環用ラインを接続し、更に、上記排出ラインの上記集じん装置よりも下流側位置と上記風力選別機の下端部との間に、循環ファンを備えて上記排出ラインの乾燥空気の一部を上記風力選別機に選別空気として送るようにした選別空気循環用ラインを接続するようにした構成としてあるので、乾燥炉で乾燥させた直後の雑多ごみを、乾燥炉排気を利用する風力選別機で重量物と軽量物に風力選別することができて、集じん装置や排気ファンを乾燥系と選別系で共用できることから、乾燥、選別部分の機器構成を簡略化できてコストダウン化及び省スペース化を図ることができ、又、一端側の入口より供給された雑多ごみを乾燥させて他端側の出口から排出させるようにしてあるキルン型乾燥炉の出口に、上下方向に長い風力選別ダクトと、該風力選別ダクトの風力選別エリア内の下部位置にあって、上下方向に延びる回転軸に雑多ごみを破砕するためのチェーン状の破砕刃を上下方向に多段に且つ周方向に適宜な間隔で取り付けて、回転軸の回転で各破砕刃が水平状態になって回転できるようにしてある竪型破砕機とからなり、選別空気を下方から上方へ向けて吹き上げるようにして破砕された雑多ごみを風力選別させるようにしてある密閉構造の風力選別機の上側部を連通接続し、該風力選別機の上端排出口に排気ファンを備えた排出ラインを接続して、該排出ラインの途中の上記排気ファンよりも上流位置に集じん装置を設置し、且つ該排出ラインの上記集じん装置よりも下流側位置と上記乾燥炉の入口側との間に、循環ファンと熱風炉を備えて該循環ファンにより誘引した乾燥空気を熱風炉に送って加熱した後、上記キルン型乾燥炉に送るようにした乾燥空気循環用ラインを接続し、更に、上記排出ラインの上記集じん装置よりも下流側位置と上記風力選別機の下端部との間に、循環ファンを備えて上記排出ラインの乾燥空気の一部を上記風力選別機に選別空気として送るようにした選別空気循環用ラインを接続するようにした構成とすることにより、風力選別と同時に雑多ごみの破砕を行うことができて、別途破砕装置を不要とすることができる、等の優れた効果を発揮する。
【図面の簡単な説明】
【図１】本発明の雑多ごみの乾燥選別装置の実施の一形態を示す概略図である。
【符号の説明】
１  雑多ごみ
１ａ  軽量物
１ｂ  重量物
２  乾燥炉
２ａ  入口
２ｂ  出口
３  風力選別ダクト
３ａ  排出口
５  竪型破砕機
７  排気ファン
８  排出ライン
９  集じん装置
１０  循環ファン
１１  熱風炉
１２  乾燥空気循環用ライン
１３  循環ファン
１４  選別空気循環用ライン
１５ａ  乾燥空気
１５ｂ  選別空気
Ａ  風力選別エリア
【図１】
0004211143.tif 000002